(57)【要約】      （修正有）【課題】自然に閉じる門扉、または軽く押せば閉じる門扉を提供する。【解決手段】門扉１０は、回転式支柱１２と、扉とを有する。回転式支柱１２は、固定された下部支柱部材１６と、回転可能な上部支柱部材１８とを備える。扉は、上部支柱部材１８に連結される。上部支柱部材１８の所定の回転位置でのみ、上部支柱部材１８の下面が、下部支柱部材１６の上面に密着している。上部支柱部材１８が回転および上下動できるように、上部支柱部材１８の下面から突出した上部突起であるパイプ２４が、下部支柱部材１６の上面から突出した下部突起であるパイプ２２に装着される。上部支柱部材１８の下面よび下部支柱部材１６の上面が、水平に対して斜めの平面である。【選択図】図３
0003183636.tif 000002
【実用新案登録請求の範囲】
【請求項１】
固定された下部支柱部材と、
水平面で回転可能な上部支柱部材と、
を有する回転式支柱であって、
前記上部支柱部材の所定の回転位置でのみ、前記上部支柱部材の下面が、前記下部支柱部材の上面に密着しており、
前記上部支柱部材が回転および上下動できるように、前記上部支柱部材の下面から突出した上部突起が、前記下部支柱部材の上面から突出した下部突起に装着される回転式支柱。
【請求項２】
請求項１において、
前記上部支柱部材の下面および前記下部支柱部材の上面が、水平に対して斜めの平面である回転式支柱。
【請求項３】
請求項１または２において、
前記上部支柱部材の下面および前記下部支柱部材の上面が、金属から構成される回転式支柱。
【請求項４】
請求項１から３のいずれかにおいて、
前記上部支柱部材の下面と前記下部支柱部材の上面との間に潤滑部材が設けられた回転式支柱。
【請求項５】
固定された下部支柱部材と、水平面で回転可能な上部支柱部材とを備える回転式支柱と、
前記上部支柱部材に連結された扉と、
を有する門扉であって、
前記上部支柱部材の所定の回転位置でのみ、前記上部支柱部材の下面が、前記下部支柱部材の上面に密着しており、
前記上部支柱部材が回転および上下動できるように、前記上部支柱部材の下面から突出した上部突起が、前記下部支柱部材の上面から突出した下部突起に装着される門扉。
【考案の詳細な説明】
【技術分野】
【０００１】
本考案は、回転可能であって元の位置に容易に戻る支柱と、この支柱を用いた門扉に関するものである。
【背景技術】
【０００２】
支柱を回転軸とした回転式門扉がある。この回転式門扉は、回転可能な支柱と、この支柱に取り付けられた扉を備える。このような回転式門扉は、以下のようにして使用する。まず、門扉の外側から扉を押して、支柱と共に扉を回転させ門扉を開ける。つぎに、開口部から門扉の内側に入る。そして、門扉の内側から扉を押して、扉を元の位置に戻し、門扉を閉める。このとき、手を添えながら戻り過ぎないように扉を元の位置に戻すのが煩わしかった。
【考案の概要】
【考案が解決しようとする課題】
【０００３】
本考案はこのような事情に鑑みてなされたものであり、自然に閉じる門扉、または軽く押せば閉じる門扉と、これらの門扉に用いる回転可能な支柱を提供することを目的とする。
【課題を解決するための手段】
【０００４】
本考案の回転式支柱は、固定された下部支柱部材と、水平面で回転可能な上部支柱部材と、を有する回転式支柱であって、上部支柱部材の所定の回転位置でのみ、上部支柱部材の下面が、下部支柱部材の上面に密着しており、上部支柱部材が回転および上下動できるように、上部支柱部材の下面から突出した上部突起が、下部支柱部材の上面から突出した下部突起に装着される。
【０００５】
本考案の回転式支柱において、上部支柱部材の下面および下部支柱部材の上面が、水平に対して斜めの平面であってもよい。本考案の回転式支柱において、上部支柱部材の下面および下部支柱部材の上面が、金属から構成されることが好ましい。本考案の回転式支柱において、上部支柱部材の下面と下部支柱部材の上面との間に潤滑部材が設けられた回転式支柱。
【０００６】
本考案の門扉は、固定された下部支柱部材と、水平面で回転可能な上部支柱部材とを備える回転式支柱と、上部支柱部材に連結された扉と、を有する門扉であって、上部支柱部材の所定の回転位置でのみ、上部支柱部材の下面が、下部支柱部材の上面に密着しており、上部支柱部材が回転および上下動できるように、上部支柱部材の下面から突出した上部突起が、下部支柱部材の上面から突出した下部突起に装着される。
【考案の効果】
【０００７】
本考案によれば、自然に閉じる門扉、または軽く押せば閉じる門扉が得られる。
【図面の簡単な説明】
【０００８】
【図１】本考案の実施形態に係る門扉の正面図である。
【図２】本考案の実施形態に係る門扉の右側面図である。
【図３】図１に示す門扉のＡ−Ａ線断面図である。
【図４】本考案の実施形態に係る回転式支柱の分解図である。
【図５】本考案の実施形態に係る門扉の動作を説明するための図である。
【考案を実施するための形態】
【０００９】
以下、本考案の回転式支柱と門扉について、図面を参照しながら実施形態に基づいて説明する。なお、回転式支柱は、門扉の構成部材として門扉と共に説明する。図面は、門扉、門扉を構成する部材、および門扉の周辺部材を模式的に表したものであり、これらの実物の寸法および寸法比は、図面上の寸法および寸法比と必ずしも一致していない。また、重複説明は適宜省略し、同一部材には同一符号を付与することがある。
【００１０】
図１は、本考案の実施形態に係る門扉１０の正面図である。図２は、門扉１０の右側面図である。図３は、図１に示す門扉１０のＡ−Ａ線断面図である。門扉１０は、回転式支柱１２と、柱１３と、扉１４とを備える。図４は、図２に示す回転式支柱１２の分解図である。回転式支柱１２は、下部支柱部材１６と、上部支柱部材１８とを備える。柱１３は、扉１４と隙間を開けて設置される。回転式支柱１２および柱１３の上部には、キャップＣが装着されている。扉１４は、上部支柱部材１８に連結されている。扉１４の形状、大きさ、材質等は、特に限定されない。下部支柱部材１６の下部は、地中に埋設されてコンクリート等で固定される。下部支柱部材１６の上部は、地面から露出している。
【００１１】
下部支柱部材１６は、図３および図４に示すように、本体１６Ｂとパイプ２０，２２とから構成される。下部支柱部材１６の本体１６Ｂは樹脂製で、図２から図４に示すように、底面が正方形の四角柱の上部を水平に対して斜めに切り取ったような形状を有する。そして、下部支柱部材１６の中心には、図３に示すように、径および長さが異なる二種類のパイプ２０，２２が設けられている。パイプ２０は、厚さが１．５ｍｍで外径が３８．０ｍｍのステンレス製の円筒であり、パイプ２２は、厚さが２．３ｍｍで外径が３４．０ｍｍの高耐食溶融めっき鋼板製の円筒である。下部支柱部材１６の内部に埋め込まれているパイプ２２の周囲には、厚さが約６ｍｍの円筒状の空洞、すなわち幅が約６ｍｍの円筒状の溝Ｔが設けられている。なお、下部支柱部材１６の本体１６Ｂおよびパイプ２０，２２の形状、大きさ、材質や溝Ｔの厚さ等は、上記に限定されない。
【００１２】
上部支柱部材１８も本体１８Ｂとパイプ２４とから構成される。上部支柱部材１８の本体１８Ｂは樹脂製で、図２から図４に示すように、底面が正方形の四角柱の下部を水平に対して斜めに切り取ったような形状を有する。そして、上部支柱部材１８の中心には、パイプ２４が設けられている。パイプ２４は、厚さが１．５ｍｍで外径が３８．０ｍｍのステンレス製の円筒である。なお、上部支柱部材１８の本体１８Ｂおよびパイプ２４の形状、大きさ、材質等は、上記に限定されない。
【００１３】
上部支柱部材１８の下面１８ａから突出した上部突起であるパイプ２４は、下部支柱部材１６の上面１６ａから突出した下部突起であるパイプ２２に上から嵌め込まれるようにして、溝Ｔに装着されている。このため、上部支柱部材１８は、パイプ２２，２４を軸として、水平面で回転ができる。また、溝Ｔの内部をパイプ２４が上下方向に移動することによって、上部支柱部材１８が上下動できる。
【００１４】
また、扉１４が閉まった状態で、上部支柱部材１８の本体１８Ｂの下面１８ａ（以下、“上部支柱部材の本体の下面”を、単に“上部支柱部材の下面”ということがある）が、下部支柱部材１６の本体１６Ｂの上面１６ａ（以下、“下部支柱部材の本体の上面”を、単に“下部支柱部材の上面”ということがある）に、密着している。このように、上部支柱部材１８の所定の回転位置でのみ、上部支柱部材１８の下面１８ａが下部支柱部材１６の上面１６ａに密着して安定な状態となっている。したがって、この所定の回転位置から上部支柱部材１８を回転させて不安定な状態にしても、自然に、または軽く押すことによって、この所定の回転位置に戻る。また、この所定の回転位置を越えて扉１４が戻り過ぎるのを抑えることができる。
【００１５】
上部支柱部材１８の下面１８ａおよび下部支柱部材１６の上面１６ａは、金属から構成されている。具体的には、上部支柱部材１８の下部と下部支柱部材１６の上部に、それぞれ金属板が設けられている。このため、上部支柱部材１８の回転を繰り返しても、上部支柱部材１８および下部支柱部材１６が損傷しにくい。また、上部支柱部材１８の下面１８ａと下部支柱部材１６の上面１６ａとの摩擦力が少なくなり、上部支柱部材１８を回転させやすい。
【００１６】
つぎに、門扉１０の動作を説明する。図５は、門扉１０の動作を説明するための斜視図である。まず、扉１４が閉まった状態から扉１４を押すと、上部支柱部材１８が水平面で回転しながら、上部支柱部材１８の下面１８ａが下部支柱部材１６の上面１６ａに密着した状態からずれて、上部支柱部材１８がパイプ２２に沿って上方向に移動する。このとき、下部支柱部材１６に差し込まれたパイプ２４の周囲に溝Ｔの空間があるため、上部支柱部材１８は、鉛直方向から少しだけ傾く。そして、図５に示すように、上部支柱部材１８の下面１８ａの頂点１８Ｃが下部支柱部材１６の上面１６ａに載った状態になる。
【００１７】
この状態で、扉１４を手で押さえながら門扉１０から出入りできる。そして、門扉１０から出入りした後に扉１４から手を放すと、重力によって下部支柱部材１６の上面１６ａを上部支柱部材１８の下面１８ａが滑りながら逆回転して、下部支柱部材１６が元の位置に戻って、扉１４が閉まる。このとき、上部支柱部材１８の下面１８ａおよび下部支柱部材１６の上面１６ａが、水平に対して斜めの平面であるため、上部支柱部材１８の下面１８ａの頂点１８Ｃが下部支柱部材１６の上面１６ａを移動した後に、上部支柱部材１８の下面１８ａの一辺１８Ｓが下部支柱部材１６の上面１６ａの一辺１６Ｓに接触しながら、上部支柱部材１８が連続的に下降していく。このため、扉１４はゆっくりと静かに閉まっていく。
【００１８】
なお、上部支柱部材１８の下面１８ａおよび下部支柱部材１６の上面１６ａの形状によっては、扉１４を開けた状態で手を放しても動かないようにすることができる。例えば、上部支柱部材１８の下面１８ａに小さな突起を設け、この突起が嵌まる孔を下部支柱部材１６の上面１６ａに設けて、扉１４が開いた状態でこの突起がこの孔に嵌まるようにする。こうすれば、扉１４を開けた状態で手を放しても扉１４が動かない。そして、開いている扉１４を閉じる方向に軽く押すことによって、上部支柱部材１８が逆回転して扉１４が閉まる。また、上部支柱部材１８の下面１８ａおよび下部支柱部材１６の上面１６ａは、水平に対して斜めの平面でなく、一方が凸曲面で他方が凹平面等であってもよい。
【００１９】
以上、実施形態に基づいて本考案の回転式支柱と門扉を説明したが、本考案の回転式支柱と門扉は上記実施形態に限定されない。例えば、上記実施形態では、回転式支柱が四角柱であったが、回転式支柱は円柱や他の多角柱であってもよい。また、上記実施形態では、上部支柱部材１８の下面１８ａから突出したパイプ２４が、下部支柱部材１６の上面１６ａから突出したパイプ２２の外側に装着されているが、パイプ２４がパイプ２２の内側に装着されるような構造であってもよい。
【００２０】
また、上部支柱部材１８の下面１８ａと下部支柱部材１６の上面１６ａとの間に潤滑部材を設けてもよい。上部支柱部材１８の下面１８ａと下部支柱部材１６の上面１６ａとの間に潤滑部材を設ければ、上部支柱部材１８がより滑らかに回転できる。具体的には、上部支柱部材１８の下面１８ａと下部支柱部材１６の上面１６ａとの間にベアリングを設けてもよい。また、一部が露出し、かつ自由に回転できるような球体を下部支柱部材１６の上面１６ａにいくつか埋め込んで、上部支柱部材１８の下面１８ａがその球体上を動くようにして、上部支柱部材１８を回転させてもよい。
【符号の説明】
【００２１】
１０  門扉
１２  回転式支柱
１３  柱
１４  扉
１６  下部支柱部材
１６ａ  下部支柱部材の上面
１６Ｂ  下部支柱部材の本体
１６Ｓ  下部支柱部材の上面の辺
１８  上部支柱部材
１８ａ  下面
１８Ｂ  上部支柱部材の本体
１８Ｃ  上部支柱部材の下面の頂点
１８Ｓ  上部支柱部材の下面の辺
２０，２２，２４  パイプ
Ｃ  キャップ
Ｔ  溝
【図１】
0003183636.tif 000003
【図２】
0003183636.tif 000004
【図３】
0003183636.tif 000005
【図４】
0003183636.tif 000006
【図５】
0003183636.tif 000007